【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
第１の基地局において、モバイルデバイスの測位をサポートするための方法であって、前記方法は、
前記第１の基地局のための少なくとも１つのセルのための複数の指向性測位基準信号（ＰＲＳ）を生成することと、ここにおいて、前記複数の指向性ＰＲＳの各々は、少なくとも１つの信号特性および送信の方向を備え、ここにおいて、前記複数の指向性ＰＲＳの各々についての前記少なくとも１つの信号特性および前記送信の方向は、前記第１の基地局および前記第１の基地局の近くの他の基地局によって送信された他の指向性ＰＲＳに対して一意であり、
前記少なくとも１つのセル内で前記複数の指向性ＰＲＳの各々を送信することと、ここにおいて、前記複数の指向性ＰＲＳの各々は、前記送信の方向に送信され、
前記第１の基地局から送信された前記複数の指向性ＰＲＳのうちの少なくとも１つについてモバイルデバイスから少なくとも１つの往復時間（ＲＴＴ）測定値を取得することと、
前記送信の方向および前記ＲＴＴ測定値に少なくとも部分的に基づいて前記モバイルデバイスのポジションを取得することと
を備える、方法。
【請求項２】
前記少なくとも１つの信号特性は、周波数、周波数シフト、コードシーケンス、ミューティングパターン、送信時間、またはこれらの任意の組合せを備える、請求項１に記載の方法。
【請求項３】
前記少なくとも１つのセル内で前記複数の指向性ＰＲＳを送信することは、
前記送信の方向に各指向性ＰＲＳをビームフォーミングするように構成された制御可能なアンテナアレイを通じて、前記複数の指向性ＰＲＳを方向づけること
を備える、請求項１に記載の方法。
【請求項４】
前記送信の方向は、水平角の連続範囲、垂直角の連続範囲、またはこれらの組合せを備える、請求項３に記載の方法。
【請求項５】
前記複数の指向性ＰＲＳのうちの少なくとも１つは、観測到着時間差（ＯＴＤＯＡ）測位方法、放射角（ＡＯＤ）測位方法、または拡張セルＩＤ（ＥＣＩＤ）測位方法、あるいはこれらの任意の組合せに基づいて、位置特定対応デバイスにおいて前記モバイルデバイスのロケーション決定を促進するために、前記モバイルデバイスによって検出可能である、請求項１に記載の方法。
【請求項６】
前記複数の指向性ＰＲＳのうちの前記少なくとも１つは、前記複数の指向性ＰＲＳのうちの前記少なくとも１つについての前記送信の方向、前記複数の指向性ＰＲＳのうちの前記少なくとも１つについての前記少なくとも１つの信号特性、またはこれらの組合せに基づいて、前記モバイルデバイスによって検出可能である、請求項５に記載の方法。
【請求項７】
前記モバイルデバイスに、前記複数の指向性ＰＲＳのうちの前記少なくとも１つについての前記送信の方向、または前記複数の指向性ＰＲＳのうちの前記少なくとも１つについての前記少なくとも１つの信号特性、のうちの少なくとも１つを送ること、ここにおいて、前記送ることは、オプションとして前記少なくとも１つのセル内のブロードキャストに基づく、
をさらに備える、請求項６に記載の方法。
【請求項８】
位置特定対応デバイスにおいて、モバイルデバイスの測位をサポートするための方法であって、前記方法は、
第１の基地局のための少なくとも１つのセルにおいて前記第１の基地局によって送信された第１の指向性測位基準信号（ＰＲＳ）についての、前記モバイルデバイスからの少なくとも１つの第１の測定値を取得することと、ここにおいて、前記第１の指向性ＰＲＳは、少なくとも１つの第１の信号特性および第１の送信の方向を備え、ここにおいて、前記複数の指向性ＰＲＳの各々についての前記少なくとも１つの信号特性および前記送信の方向は、前記第１の基地局および前記第１の基地局の近くの他の基地局によって送信された他の指向性ＰＲＳに対して一意であり、
第２の基地局のための少なくとも１つのセルにおいて前記第２の基地局によって送信された第２の指向性ＰＲＳについての、前記モバイルデバイスからの少なくとも１つの第２の測定値を取得することと、ここにおいて、前記第２の指向性ＰＲＳは、少なくとも１つの第２の信号特性および第２の送信の方向を備え、ここにおいて、前記第２の指向性ＰＲＳについての前記少なくとも１つの第２の信号特性および前記第２の送信の方向は、それぞれ、前記第１の指向性ＰＲＳについての前記少なくとも１つの第１の信号特性および前記第１の送信の方向とは異なり、
前記少なくとも１つの第１の測定値、前記少なくとも１つの第２の測定値、前記第１の指向性ＰＲＳについての前記第１の送信の方向、および前記第２の指向性ＰＲＳについての前記第２の送信の方向に少なくとも部分的に基づいて、前記モバイルデバイスのロケーションを決定することと
を備える、方法。
【請求項９】
前記少なくとも１つの第１の信号特性は、キャリア周波数、周波数シフト、コードシーケンス、ミューティングパターン、帯域幅、送信時間、またはこれらの任意の組合せを備える、請求項８に記載の方法。
【請求項１０】
前記第１の指向性ＰＲＳは、前記第１の送信の方向に前記第１の指向性ＰＲＳをビームフォーミングするように構成された制御可能なアンテナアレイを通じて、前記第１の基地局から送信される、請求項８に記載の方法。
【請求項１１】
前記第１の送信の方向は、水平角の連続範囲、垂直角の連続範囲、またはこれらの組合せを備える、請求項１０に記載の方法。
【請求項１２】
前記位置特定対応デバイスは、前記モバイルデバイスを備え、前記方法は、
前記第１の基地局からまたはロケーション管理機能（ＬＭＦ）から、前記少なくとも１つの第１の信号特性および前記第１の送信の方向を受信すること
をさらに備える、請求項８に記載の方法。
【請求項１３】
前記第１の送信の方向は、前記第１の基地局からブロードキャスト信号を受信することによって、前記第１の基地局から受信される、請求項１２に記載の方法。
【請求項１４】
モバイルデバイスにおいて、前記モバイルデバイスの測位をサポートするための方法であって、前記方法は、
前記モバイルデバイスにおいて、第１の基地局のための少なくとも１つのセル内で前記第１の基地局によって送信された第１の指向性測位基準信号（ＰＲＳ）を受信することと、ここにおいて、前記第１の指向性ＰＲＳは、少なくとも１つの第１の信号特性および第１の送信の方向を備え、ここにおいて、前記複数の指向性ＰＲＳの各々についての前記少なくとも１つの信号特性および前記送信の方向は、前記第１の基地局および前記第１の基地局の近くの他の基地局によって送信された他の指向性ＰＲＳに対して一意であり、
前記少なくとも１つの第１の信号特性に少なくとも部分的に基づいて、前記第１の指向性ＰＲＳについての少なくとも１つの第１の測定値を取得することと、
第２の基地局のための少なくとも１つのセルにおいて前記第２の基地局によって送信された第２の指向性ＰＲＳを、前記モバイルデバイスにおいて、受信することと、ここにおいて、前記第２の指向性ＰＲＳは、少なくとも１つの第２の信号特性および第２の送信の方向を備え、ここにおいて、前記第２の指向性ＰＲＳについての前記少なくとも１つの第２の信号特性および前記第２の送信の方向は、それぞれ、前記第１の指向性ＰＲＳについての前記少なくとも１つの第１の信号特性および前記第１の送信の方向とは異なり、
前記少なくとも１つの第２の信号特性に少なくとも部分的に基づいて前記第２の指向性ＰＲＳについての少なくとも１つの第２の測定値を取得することと、
前記少なくとも１つの第１の測定値、前記少なくとも１つの第２の測定値、前記第１の指向性ＰＲＳについての前記第１の送信の方向、および前記第２の指向性ＰＲＳについての前記第２の送信の方向に少なくとも部分的に基づいて、前記モバイルデバイスについてのロケーション決定を促進することと
を備える、方法。
【請求項１５】
モバイルデバイスの測位をサポートするための装置であって、
第１の基地局のための少なくとも１つのセル内で前記第１の基地局によって送信された第１の指向性測位基準信号（ＰＲＳ）を受信するための手段と、ここにおいて、前記第１の指向性ＰＲＳは、少なくとも１つの第１の信号特性および第１の送信の方向を備え、ここにおいて、前記複数の指向性ＰＲＳの各々についての前記少なくとも１つの信号特性および前記送信の方向は、前記第１の基地局および前記第１の基地局の近くの他の基地局によって送信された他の指向性ＰＲＳに対して一意であり、
前記少なくとも１つの第１の信号特性に少なくとも部分的に基づいて、前記第１の指向性ＰＲＳについての少なくとも１つの第１の測定値を取得するための手段と、
第２の基地局のための少なくとも１つのセルにおいて前記第２の基地局によって送信された第２の指向性ＰＲＳを受信するための手段と、ここにおいて、前記第２の指向性ＰＲＳは、少なくとも１つの第２の信号特性および第２の送信の方向を備え、ここにおいて、前記第２の指向性ＰＲＳについての前記少なくとも１つの第２の信号特性および前記第２の送信の方向は、それぞれ、前記第１の指向性ＰＲＳについての前記少なくとも１つの第１の信号特性および前記第１の送信の方向とは異なり、
前記少なくとも１つの第２の信号特性に少なくとも部分的に基づいて前記第２の指向性ＰＲＳについての少なくとも１つの第２の測定値を取得するための手段と、
前記少なくとも１つの第１の測定値、前記少なくとも１つの第２の測定値、前記第１の指向性ＰＲＳについての前記第１の送信の方向、および前記第２の指向性ＰＲＳについての前記第２の送信の方向に少なくとも部分的に基づいて、前記モバイルデバイスについてのロケーション決定を促進するための手段と
を備える、装置。
【手続補正２】
【補正対象書類名】明細書
【補正対象項目名】０１３５
【補正方法】変更
【補正の内容】
【０１３５】
[00134]特定の実施形態が詳細に本明細書に開示されているが、これは、例として、例示のみを目的としてなされており、以下の添付の特許請求の範囲に関して限定するように意図されるものではない。具体的には、様々な置換、代替、および修正が、特許請求の範囲によって定義される本発明の趣旨および範囲から逸脱することなく行われ得ることが企図される。他の態様、利点、および修正は、以下の特許請求の範囲内であると見なされる。提示される特許請求の範囲は、本明細書で開示された実施形態および特徴を表す。特許請求の範囲に記載されていない他の実施形態および特徴もまた企図される。したがって、他の実施形態は、以下の特許請求の範囲内にある。
以下に本願の出願当初の特許請求の範囲に記載された発明を付記する。
［書類名］特許請求の範囲
［Ｃ１］
第１の基地局において、モバイルデバイスの測位をサポートするための方法であって、前記方法は、
前記第１の基地局のための少なくとも１つのセルのための複数の指向性測位基準信号（ＰＲＳ）を生成することと、ここにおいて、前記複数の指向性ＰＲＳの各々は、少なくとも１つの信号特性および送信の方向を備え、
前記少なくとも１つのセル内で前記複数の指向性ＰＲＳの各々を送信することと、ここにおいて、前記複数の指向性ＰＲＳの各々は、前記送信の方向に送信される、
を備える、方法。
［Ｃ２］
前記少なくとも１つの信号特性は、周波数、周波数シフト、コードシーケンス、ミューティングパターン、送信時間、またはこれらの任意の組合せを備える、Ｃ１に記載の方法。
［Ｃ３］
前記少なくとも１つのセル内で前記複数の指向性ＰＲＳを送信することは、
前記送信の方向に各指向性ＰＲＳをビームフォーミングするように構成された制御可能なアンテナアレイを通じて、前記複数の指向性ＰＲＳを方向づけること
を備える、Ｃ１に記載の方法。
［Ｃ４］
前記送信の方向は、水平角の連続範囲、垂直角の連続範囲、またはこれらの組合せを備える、Ｃ３に記載の方法。
［Ｃ５］
前記複数の指向性ＰＲＳのうちの少なくとも１つは、観測到着時間差（ＯＴＤＯＡ）測位方法、放射角（ＡＯＤ）測位方法、または拡張セルＩＤ（ＥＣＩＤ）測位方法、あるいはこれらの任意の組合せに基づいて、位置特定対応デバイスにおいて前記モバイルデバイスのロケーション決定を促進するために、前記モバイルデバイスによって検出可能である、Ｃ１に記載の方法。
［Ｃ６］
前記複数の指向性ＰＲＳのうちの前記少なくとも１つは、前記複数の指向性ＰＲＳのうちの前記少なくとも１つについての前記送信の方向、前記複数の指向性ＰＲＳのうちの前記少なくとも１つについての前記少なくとも１つの信号特性、またはこれらの組合せに基づいて、前記モバイルデバイスによって検出可能である、Ｃ５に記載の方法。
［Ｃ７］
前記モバイルデバイスに、前記複数の指向性ＰＲＳのうちの前記少なくとも１つについての前記送信の方向、または前記複数の指向性ＰＲＳのうちの前記少なくとも１つについての前記少なくとも１つの信号特性、のうちの少なくとも１つを送ること
をさらに備える、Ｃ６に記載の方法。
［Ｃ８］
前記送ることは、前記少なくとも１つのセル内のブロードキャストに基づく、Ｃ７に記載の方法。
［Ｃ９］
前記位置特定対応デバイスにおける前記ロケーション決定は、前記複数の指向性ＰＲＳのうちの前記最小のものについての前記送信の方向と、前記モバイルデバイスについてのおおよそのロケーションとに基づいて、前記複数の指向性ＰＲＳのうちの前記最小のものについてのマルチパスの有無を決定することを含み、ここにおいて、前記位置特定対応デバイスにおいて前記モバイルデバイスのロケーションを前記決定することは、マルチパスの前記決定された有無に少なくとも部分的に基づく、Ｃ５に記載の方法。
［Ｃ１０］
前記モバイルデバイスについての前記おおよそのロケーションは、前記モバイルデバイスのためのサービングセルに少なくとも部分的に基づく、Ｃ９に記載の方法。
［Ｃ１１］
前記位置特定対応デバイスが、前記モバイルデバイス、ロケーション管理機能（ＬＭＦ）、または前記第１の基地局とは異なる第２の基地局を備え、前記方法は、
前記位置特定対応デバイスに、前記複数の指向性ＰＲＳのうちの前記少なくとも１つについての前記送信の方向を送ること
をさらに備える、Ｃ５に記載の方法。
［Ｃ１２］
前記少なくとも１つのセルは、前記モバイルデバイスのためのサービングセルである、Ｃ１に記載の方法。
［Ｃ１３］
前記複数の指向性ＰＲＳの各々についての前記少なくとも１つの信号特性および前記送信の方向のうちの少なくとも１つは、一意である、Ｃ１に記載の方法。
［Ｃ１４］
位置特定対応デバイスにおいて、モバイルデバイスの測位をサポートするための方法であって、前記方法は、
第１の基地局のための少なくとも１つのセルにおいて前記第１の基地局によって送信された第１の指向性測位基準信号（ＰＲＳ）についての、前記モバイルデバイスからの少なくとも１つの第１の測定値を取得することと、ここにおいて、前記第１の指向性ＰＲＳは、少なくとも１つの第１の信号特性および第１の送信の方向を備え、
前記少なくとも１つの第１の測定値および前記第１の送信の方向に少なくとも部分的に基づいて、前記モバイルデバイスのロケーションを決定することと
を備える、方法。
［Ｃ１５］
前記少なくとも１つの第１の信号特性は、キャリア周波数、周波数シフト、コードシーケンス、ミューティングパターン、帯域幅、送信時間、またはこれらの任意の組合せを備える、Ｃ１４に記載の方法。
［Ｃ１６］
前記第１の指向性ＰＲＳは、前記第１の送信の方向に前記第１の指向性ＰＲＳをビームフォーミングするように構成された制御可能なアンテナアレイを通じて、前記第１の基地局から送信される、Ｃ１４に記載の方法。
［Ｃ１７］
前記第１の送信の方向は、水平角の連続範囲、垂直角の連続範囲、またはこれらの組合せを備える、Ｃ１６に記載の方法。
［Ｃ１８］
前記位置特定対応デバイスは、前記モバイルデバイスを備え、前記方法は、
前記第１の基地局からまたはロケーション管理機能（ＬＭＦ）から、前記少なくとも１つの第１の信号特性および前記第１の送信の方向を受信すること
をさらに備える、Ｃ１４に記載の方法。
［Ｃ１９］
前記第１の送信の方向は、前記第１の基地局からブロードキャスト信号を受信することによって、前記第１の基地局から受信される、Ｃ１８に記載の方法。
［Ｃ２０］
前記位置特定対応デバイスは、前記第１の基地局、またはロケーション管理機能（ＬＭＦ）を備え、前記方法は、
前記モバイルデバイスから前記少なくとも１つの第１の測定値を受信すること
をさらに備える、Ｃ１４に記載の方法。
［Ｃ２１］
前記モバイルデバイスに前記少なくとも１つの第１の信号特性を送ること
をさらに備える、Ｃ２０に記載の方法。
［Ｃ２２］
前記第１の指向性ＰＲＳについての前記少なくとも１つの第１の測定値は、到着時間（ＴＯＡ）、基準信号時間差（ＲＳＴＤ）、受信信号強度インジケーション（ＲＳＳＩ）、基準信号受信電力（ＲＳＲＰ）、基準信号受信品質（ＲＳＲＱ）、到来角（ＡＯＡ）、信号伝搬時間、前記少なくとも１つの第１の信号特性の検出、またはこれらの任意の組合せを備える、Ｃ１４に記載の方法。
［Ｃ２３］
前記モバイルデバイスの前記ロケーションを決定することは、観測到着時間差（ＯＴＤＯＡ）測位方法、放射角（ＡＯＤ）測位方法、または拡張セルＩＤ（ＥＣＩＤ）測位方法、あるいはこれらの任意の組合せに基づく、Ｃ２２に記載の方法。
［Ｃ２４］
前記第１の送信の方向と、前記モバイルデバイスについてのおおよそのロケーションとに基づいて、前記第１の指向性ＰＲＳについてのマルチパスの有無を決定すること、ここにおいて、前記モバイルデバイスの前記ロケーションを決定することは、マルチパスの前記決定された有無に少なくとも部分的に基づく、
をさらに備える、Ｃ２３に記載の方法。
［Ｃ２５］
前記モバイルデバイスについての前記おおよそのロケーションは、前記モバイルデバイスのためのサービングセルに少なくとも部分的に基づく、Ｃ２４に記載の方法。
［Ｃ２６］
第２の基地局のための少なくとも１つのセルにおいて前記第２の基地局によって送信された第２の指向性ＰＲＳについての、前記モバイルデバイスからの少なくとも１つの第２の測定値を取得することと、ここにおいて、前記第２の指向性ＰＲＳは、少なくとも１つの第２の信号特性および第２の送信の方向を備え、ここにおいて、前記第２の指向性ＰＲＳについての前記少なくとも１つの第２の信号特性および前記第２の送信の方向は、それぞれ、前記第１の指向性ＰＲＳについての前記少なくとも１つの第１の信号特性および前記第１の送信の方向とは異なり、
前記少なくとも１つの第１の測定値、前記少なくとも１つの第２の測定値、前記第１の指向性ＰＲＳについての前記第１の送信の方向、および前記第２の指向性ＰＲＳについての前記第２の送信の方向に少なくとも部分的に基づいて、前記モバイルデバイスの前記ロケーションを決定することと
をさらに備える、Ｃ１４に記載の方法。
［Ｃ２７］
前記第１の基地局のための前記少なくとも１つのセルは、前記モバイルデバイスのためのサービングセルである、Ｃ１４に記載の方法。
［Ｃ２８］
前記第１の指向性ＰＲＳについての前記少なくとも１つの第１の信号特性および前記第１の送信の方向のうちの少なくとも１つは、一意である、Ｃ１４に記載の方法。
［Ｃ２９］
モバイルデバイスにおいて、前記モバイルデバイスの測位をサポートするための方法であって、前記方法は、
前記モバイルデバイスにおいて、第１の基地局のための少なくとも１つのセル内で前記第１の基地局によって送信された第１の指向性測位基準信号（ＰＲＳ）を受信することと、ここにおいて、前記第１の指向性ＰＲＳは、少なくとも１つの第１の信号特性および第１の送信の方向を備え、
前記少なくとも１つの第１の信号特性に少なくとも部分的に基づいて、前記第１の指向性ＰＲＳについての少なくとも１つの第１の測定値を取得することと、
前記少なくとも１つの第１の測定値に少なくとも部分的に基づいて、位置特定対応デバイスにおいて前記モバイルデバイスのロケーション決定を促進することと
を備える、方法。
［Ｃ３０］
モバイルデバイスの測位をサポートするための装置であって、
第１の基地局のための少なくとも１つのセル内で前記第１の基地局によって送信された第１の指向性測位基準信号（ＰＲＳ）を受信するための手段と、ここにおいて、前記第１の指向性ＰＲＳは、少なくとも１つの第１の信号特性および第１の送信の方向を備え、  前記少なくとも１つの第１の信号特性に少なくとも部分的に基づいて、前記第１の指向性ＰＲＳについての少なくとも１つの第１の測定値を取得するための手段と、
前記少なくとも１つの第１の測定値に少なくとも部分的に基づいて、前記モバイルデバイスのロケーション決定を促進するための手段と
を備える、装置。